(57)【要約】【課題】ステッピングモータ等で絞りシャッター羽根を開閉駆動する光量調節装置において、シャッター閉じ動作時の羽根バウンドを抑えてシャッタースピードの高速化と羽根の衝撃緩和や再露光を防止する。【解決手段】ステッピングモータにより駆動レバー２を正逆回動することで、駆動レバー２の両端部に設けた駆動ピン３，４に係合する重ね合った一対の絞りシャッター羽根５，６を互いに相反する方向にスライドさせ、全閉位置において、全閉方向への移動力が駆動レバー２を介して第１の絞りシャッター羽根５に付与されている状態で、でこの第１の絞りシャッター羽根５を第２の絞りシャッター羽根６に係合する駆動ピン６に当接させる。【選択図】図２
2009217190.tif 000002
【特許請求の範囲】
【請求項１】
光を透過させる開口が形成された地板と、前記地板に対し移動可能に支持案内され、前記地板の開口を通過する光量を調節する遮光部材と、前記遮光部材と係合し、駆動モータへの通電で回動することにより該遮光部材を駆動させる遮光部材駆動手段と、を有する光量調節装置において、
前記遮光部材が前記駆動モータへの通電により移動して前記地板の開口を閉鎖した後、前記遮光部材駆動手段が前記遮光部材に対して閉じ方向の移動力を作用させた状態で、該閉じ方向の移動力を作用させる作用点での作用方向とは異なる位置で、該遮光部材に対して閉じ方向の移動力とは異なる方向に移動力が作用するように該遮光部材と当接して該遮光部材の閉じ方向移動を規制する当接手段を有することを特徴とする光量調節装置。
【請求項２】
前記地板は、前記遮光部材を平行移動可能に支持案内するガイド軸を有し、前記遮光部材は、該遮光部材が前記当接手段と当接するのと略同時に前記ガイド軸と当接することにより、前記開口を閉鎖する位置を規定する位置規定部を有することを特徴とする請求項１に記載の光量調節装置。
【請求項３】
前記ガイド軸と前記当接手段に対し前記遮光部材がそれぞれ当接する部分は、前記開口を境にし、該遮光部材が移動する方向で見ていずれか片側にあることを特徴とする請求項２に記載の光量調節装置。
【請求項４】
光を透過させる開口が形成された地板と、前記地板に設けられたガイド軸により該地板に対し平行往復運動可能に支持案内された複数の遮光部材と、前記複数の遮光部材と係合し、駆動モータへの通電で回動することにより該複数の遮光部材を駆動させる遮光部材駆動手段と、を有し、前記駆動モータへの通電により前記遮光部材の少なくとも２つを互いに相反する方向に平行往復運動させて光量を調節する光量調節装置において、
前記互いに相反する方向に平行往復運動する少なくとも２つの前記遮光部材は、前記ガイド軸とそれぞれ当接して前記開口を閉鎖する位置を規定する規定部を有し、前記複数の遮光部材の少なくとも１つの遮光部材が前記駆動モータへの通電により移動して前記地板の開口を閉鎖した後、該少なくとも１つの遮光部材に対して前記遮光部材駆動手段による閉じ方向の移動力が付与された状態で、該少なくとも１つの遮光部材と当接して該少なくとも１つの遮光部材の閉じ方向移動を規制する当接手段を有することを特徴とする光量調節装置。
【請求項５】
前記複数の遮光部材の少なくとも1つが、前記当接手段と当接するタイミングと、前記互いに相反する方向に平行往復運動する複数の遮光部材の少なくとも２つが前記ガイド軸と当接するタイミングは、略同時であることを特徴とする請求項４に記載の光量調節装置。
【請求項６】
前記当接手段は、前記遮光部材駆動手段であることを特徴とする請求項１から５のいずれかに記載の光量調節装置。
【請求項７】
前記当接手段と、該当接手段と当接する前記遮光部材とが当接する部分は、それぞれ互いに近づく方向に移動して当接することを特徴とする請求項１から６のいずれかに記載の光量調節装置。
【請求項８】
前記駆動モータは、前記当接手段と、該当接手段に当接する遮光部材とが当接した後も、モータ駆動力を該遮光部材を前記地板の開口部を閉鎖する方向に作用させていることを特徴とする請求項１から７のいずれかに記載の光量調節装置。
【請求項９】
前記当接手段をなす前記遮光部材駆動手段は、前記駆動モータにより回動される駆動レバーであって、該駆動レバーに設けられて遮光部材と係合する係合部材に遮光部材が当接することを特徴とする請求項６から８のいずれかに記載の光量調節装置。
【発明の詳細な説明】
【技術分野】
【０００１】
本発明は、デジタルスチルカメラ、ビデオカメラ等の光学機器の露出及びシャッター制御に用いられる光量調節装置に関する。
【背景技術】
【０００２】
従来、デジタルスチルカメラ、ビデオカメラ等に用いられる光学機器等の光量調節装置として、例えば絞り機構の駆動源としていわゆるガルバノメータが多く使用されてきた。
【０００３】
駆動源にガルバノメータを用いた絞り機構では、ガルバノメータの永久磁石であるロータについてホール素子を用いて位置検出し、その検出結果をフィードバック制御することにより、ロータを目的の位置に作動させて、絞り制御が行われる。
【０００４】
さらに、デジタルスチルカメラ等において、上述した構成の絞り機構にシャッター機構を付加した光量調節装置が用いられる場合、上記の絞り制御位置から、前記ガルバノメータの駆動コイルへの通電で発生する励磁磁界を永久磁石からなるロータに対して与えることで生じる反発、吸引動作により該ロータを回転させて絞りシャッター羽根を閉じ方向に移動させ、その後開き方向に移動させるシャッター動作を行っている。
【０００５】
しかし、このように絞り機構にガルバノメータを駆動源として用いる場合には、シャッター動作を行ってもスピードが遅くて高速秒時化には不向きであった。
【０００６】
そこで、駆動源としてガルバノメータの代わりにステッピングモータを用いた絞り機構が考えられる。ステッピングモータを用いた絞り機構は、例えば、ステッピングモータの回転軸に、直線状の羽根駆動レバーが長さ方向の中央で圧入されている。前記羽根駆動レバーの長さ方向の両端部には、駆動ピンが設けられている。各駆動ピンは、スライド可能に僅かな隙間を有して重ねた配置した２枚の絞り羽根（絞りシャッター羽根）の長さ方向一端側に形成した長孔にそれぞれ係合している。このような絞り機構において、ステッピングモータに所定のパルスを与えて回転させ、２枚の絞り羽根をそれぞれ互いに反対の方向へ直進運動をさせる。前記２枚の絞り羽根には共同して絞り開口を形成するための絞り開口部がそれぞれ設けられ、２枚の絞り羽根の相互の位置関係によって、地板に形成した開口に対する絞り開口の大きさを（面積）変化させることにより、光量調節が行われる。
【０００７】
一方、シャッター動作時は、２枚の絞り羽根が閉じる方向に向けてステッピングモータに順次パルスを与え、ステッピングモータを回転させて高速で絞り羽根を全閉させる。
【０００８】
しかし、ステッピングモータを用いた絞りシャッター機構では、シャッターの全閉動作時において、絞りシャッター羽根の脱調、バウンド等により所定の閉位置からずれて止まる場合がある。この状態でCCD等の撮像素子からの電荷の転送が行われると光線漏れにより転送信号にノイスが乗ったり、次の絞り動作時、所定のパルスに対する口径がずれて、正常な絞り制御ができなくなったりする。
【０００９】
これらの問題を回避するために、例えば特許文献1では、絞りの初期位置をフォトカプラーで検出し、ホームポジションを保証している。
【００１０】
また、本発明者は特許文献２に記載のように、絞りシャッター羽根を走行の終点で地板に角度を持って当接させることにより、羽根バウンドを防止することを提案している。
【００１１】
しかし、特許文献1の方法は、遮光部材である絞りシャッター羽根が、所定の位置以外で止まった時、それを検出し、所定の位置へ初期化動作させたりするものであり、再露光や絞りシャッター羽根全閉直後の電荷転送時の光線漏れに対しての対策とはなっていない。
【００１２】
そこで、遮光部材である絞りシャッター羽根がシャッター動作時における閉じ位置でバウンドすることを防止するバウンド対策を施した光量調節装置が提案されている（特許文献２）。
【００１３】
特許文献２のバウンド対策を施した光量調節装置は、閉じ方向に向かって高速移動する絞りシャッター羽根を閉じ位置において、絞りシャッター羽根をスライド自在に保持する地板に設けたストッパーに衝突させる構成とし、移動方向に対して傾斜した衝突角度を有した構成としている。
【特許文献１】特開平６−５９３０９号公報
【特許文献２】特開２００７−２１９１９８号公報
【発明の開示】
【発明が解決しようとする課題】
【００１４】
本発明は、かかる問題点に鑑みてなされたもので、絞りシャッター羽根を例えばステッピングモータにより閉じ方向に高速移動可能としつつ、シャッターの高速スピード化と安定した羽根の停止、特に絞りシャッター羽根のバウンド（再露光）を、特別な部材を付加することなく簡単な構成で実現できる光量調節装置を提供しようとするものである。
【課題を解決するための手段】
【００１５】
本発明の目的を実現する光量調節装置の構成は、光を透過させる開口が形成された地板と、前記地板に対し移動可能に支持案内され、前記地板の開口を通過する光量を調節する遮光部材と、前記遮光部材と係合し、駆動モータへの通電で回動することにより該遮光部材を駆動させる遮光部材駆動手段と、を有する光量調節装置において、前記遮光部材が前記駆動モータへの通電により移動して前記地板の開口を閉鎖した後、前記遮光部材駆動手段が前記遮光部材に対して閉じ方向の移動力を作用させた状態で、該閉じ方向の移動力を作用させる作用点での作用方向とは異なる位置で、該遮光部材に対して閉じ方向の移動力とは異なる方向に移動力が作用するように該遮光部材と当接して該遮光部材の閉じ方向移動を規制する当接手段を有することを特徴とする。
【００１６】
また、他の構成として、光を透過させる開口が形成された地板と、前記地板に設けられたガイド軸により該地板に対し平行往復運動可能に支持案内された複数の遮光部材と、前記複数の遮光部材と係合し、駆動モータへの通電で回動することにより該複数の遮光部材を駆動させる遮光部材駆動手段と、を有し、前記駆動モータへの通電により前記遮光部材の少なくとも２つを互いに相反する方向に平行往復運動させて光量を調節する光量調節装置において、前記互いに相反する方向に平行往復運動する少なくとも２つの前記遮光部材は、前記ガイド軸とそれぞれ当接して前記開口を閉鎖する位置を規定する規定部を有し、前記複数の遮光部材の少なくとも１つの遮光部材が前記駆動モータへの通電により移動して前記地板の開口を閉鎖した後、該少なくとも１つの遮光部材に対して前記遮光部材駆動手段による閉じ方向の移動力が付与された状態で、該少なくとも１つの遮光部材と当接して該少なくとも１つの遮光部材の閉じ方向移動を規制する当接手段を有することを特徴とする。
【発明の効果】
【００１７】
本発明による光量調節装置によれば、絞りシャッター羽根等の遮光部材を例えばシャッター動作させるために、駆動モータの駆動力により回動する駆動レバー等の遮光部材駆動手段を全閉方向に回動させると、駆動レバーに係合する絞りシャッター羽根が全閉位置に向けて移動するが、全閉位置で当接手段に全閉方向に移動する絞りシャッター羽根が当接して閉じ方向への移動が規制されるため、この絞りシャッター羽根には開き方向に向かうバウンド力が発生する。しかし、この絞りシャッター羽根は駆動レバーを介して閉じ方向の移動力が付与されているため、前記バウンド力がこの移動力で打ち消される。これにより、シャッター閉じ動作後の絞りシャッター羽根等の遮光部材のバウンドを抑制できると共に、遮光部材の安定した停止が実現し、遮光部材の耐久性も向上させることができる。
【発明を実施するための最良の形態】
【００１８】
以下、本発明を図面に示す実施形態について説明する。
第１実施形態
図１及び図２は本発明の第１実施形態を示す。
図１は本実施形態による光量調節装置の分解斜視図、図２は図１の上面図（羽根カバーを取外した状態）で、（ａ）は全開状態、（ｂ）は全閉状態である。具体的には、図２（ａ）は、地板１に形成した開口１０が移動可能な遮光部材である第１の絞りシャッター羽根５及び第２の絞りシャッター羽根６によって全開した状態を表しており、図２（ｂ）は、開口１０が閉鎖され全閉した状態を表している。
【００１９】
図１に示すように、この光量調節装置は、駆動モータであるステッピングモータ１１と、このステッピングモータ１１で回動される遮光部材駆動手段である羽根駆動レバー２と、この羽根駆動レバー２の両端にそれぞれ設けられた第１の駆動ピン３及び第２の駆動ピン４と、第１及び第２の駆動ピン３、４がそれぞれ係合される略矩形平板状に形成された一対の第１の絞りシャッター羽根５と第２の絞りシャッター羽根６と、地板１の片面側に収納配置される一対の第１、第２の絞りシャッター羽根５，６の光軸方向の動きを規制する羽根カバー７と、光量調節装置の基板をなす地板１と、を備えている。なお、地板１には、一対の第１、第２の絞りシャッター羽根５，６を平行移動可能に支持案内するためのガイド軸８，９が地板１の他側（図２中の左側）に前後方向（図２中の上下方向）に隔設して設けられている。
【００２０】
ステッピングモータ１１は、円筒外周面にＳ極とＮ極を交互に例えば１０極着磁された不図示のロータ（ロータマグネット）と、該ロータマグネットに設けられた回動軸２５と、前記ロータマグネットの外周に配置され、９０度の電気的位相差をもつ励磁コイルからなる２つの電磁石（不図示）とを有している。このステッピングモータ１１は、ステッピングモータ駆動回路（不図示）から前記２つの励磁コイルに通電することにより正逆回転する２相ステッピングモータである。なお、このステッピングモータ１１は、地板１に固定ネジ２６によって締結されている。また、羽根カバー７は固定ネジ２７によって地板１に締結されている。
【００２１】
第１の絞りシャッター羽根５の他側には、ガイド軸８、９に係合する長手方向の前後に長い長孔１２、１３が形成されている。そして、第１の絞りシャッター羽根５と第２の絞りシャッター羽根６が所定の全閉位置に達すると、長孔１２，１３の先端側の内端をストッパー部１６、１７としてガイド軸８、９に当接する。
【００２２】
同様に、第２の絞りシャッター羽根６の他側にも、ガイド軸８、９に係合する長手方向の前後に長い長孔１８、１９が形成され、第１の絞りシャッター羽根５と第２の絞りシャッター羽根６が全閉位置に達すると、長孔１８、１９の後端側の内端をストッパー部２０，２１としてガイド軸８，９に当接し、全閉位置を規定する。ガイド軸８、９と、ガイド軸８，９に全閉位置で当接するストッパー部１６，１７，２０，２１とにより構成されるストッパー機構を第１のストッパー機構とする。
【００２３】
第１の絞りシャッター羽根５には、円形の絞り開口部２２が形成され、第２の絞りシャッター羽根６には、先端部側に略半円形状の絞り開口部２３が形成されている。
【００２４】
この光量調節装置では、一対の第１、第２の絞りシャッター羽根５，６が、互いに相反する方向へ平行往復運動することにより、絞り開口部２２と２３とにより絞り開口２４が形成される。そして、第１、第２の絞りシャッター羽根５，６それぞれの位置関係によって、開口１０に対する絞り開口２４の大きさが変化することにより、開口１０を透過する光量の光量調節が行われる。なお、絞り羽根（絞りシャッター羽根）は二枚に限らず３枚以上の複数の羽根によって開口を形成するようにしても良い。また、それらの中にＮＤフィルターを含む構成とすることもできる。
【００２５】
図２（ａ）に示すように、第１の絞りシャッター羽根５の後端部には、一側部側（図２中、右側）に第１の駆動ピン３が係合する横長の長孔２８が形成され、他側部側（図２中、左側）を略四角形に切り欠いた切欠部２９が形成されている。同様に、第２の絞りシャッター羽根６の後端部には、一側部側を略四角形に切り欠いた切欠部３０が形成され、他側部側に第２の駆動ピン４が係合する横長の長孔３１が形成されている。
【００２６】
図２（ｂ）に示すように、全閉位置に向けて第１の絞りシャッター羽根５が移動し、上述した第１のストッパー機構が作動するタイミングに合わせて、第１の絞りシャッター羽根５の切欠部２９の横方向の内縁をストッパー部３２とし、このストッパー部３２を第２の駆動ピン４と当接するように、第２の駆動ピン４の高さを設定し、またストッパー部３２の位置を設定している。この第２の駆動ピン４と第１の絞りシャッター羽根５のストッパー部３２とが正面衝突して停止させるストッパー機構を第２のストッパー機構とする。
【００２７】
すなわち、図２（ｂ）において、全閉方向に向けて羽根駆動レバー２は時計回り方向に回転し、第１の駆動ピン３が第１の絞りシャッター羽根５に対して閉じ方向の移動力を作用させる作用点として機能する。第１の駆動ピン３が第１の絞りシャッター羽根５に対する閉じ方向の作用点として機能する場合、該作用点での作用方向（閉じ方向移動力の作用方向）は図２（ｂ）中下向き方向となる。
【００２８】
本実施形態において、前記第１のストッパー機構及び前記第２のストッパー機構がストッパー動作した状態あるいはそれ以前に、第１の駆動ピン３を作用点とした閉じ方向移動力の作用方向で、第１の絞りシャッター羽根５と当接して第１の絞りシャッター羽根５を停止させるストッパー手段は設けられていない。
【００２９】
一方、図２（ｂ）において、全閉方向に向けて羽根駆動レバー２が時計回り方向に回転すると、第２の駆動ピン４は図中下から上に向けて移動するのに対し、第１の絞りシャッター羽根５は図中上から下に向けて移動するので、第２のストッパー機構をなす第２の駆動ピン４と第１の絞りシャッター羽根５の内縁３２とは全閉位置で正面衝突することになる。第２の駆動ピン４と第１の絞りシャッター羽根５の内縁３２とが当接する位置は、図２（ｂ）中、左右方向において第１の駆動ピン３とは離れた位置であり、前記第１の駆動ピン３を作用点とした前記作用点での移動力の作用方向とは異なる位置にある。そして、第２の駆動ピン４が第１の絞りシャッター羽根５の内縁３２と衝突すると、第２の駆動ピン４の移動力により第１の絞りシャッター羽根５には、第１の駆動ピン３を支点として時計回り方向のモーメント（アクティブモーメントと称す）が作用することになる。
【００３０】
この第２のストッパー機構が動作するとき、羽根ガイド軸８，９と、第２の駆動ピン４とは絞りシャッター羽根の移動方向において、同一軸線上に位置している。
【００３１】
本実施形態の光量調節装置により光量調節を行うには、駆動モータであるステッピングモータ１１の正逆回転により羽根駆動レバー２を正逆回転自在に揺動させて適正な光量を得る。羽根駆動レバー２に突設された第１、第２の駆動ピン３，４が、第１、第２の絞りシャッター羽根５，６を相反する方向に平行往復運動させる方向に係合されているので、第１、第２の絞りシャッター羽根５，６はそれぞれ逆方向へスライドする。
【００３２】
そして、一対の第１、第２の絞りシャッター羽根５，６を互いに相反する方向に平行往復運動させて絞り開口１４の開口の面積を変化させて地板１の開口１０を通過する光量を調節し、撮影を行うためにシャッターボタンをオンすると、第１、第２の絞りシャッター羽根５，６を閉じ方向に作動させるように、ステッピングモータ１１へ励磁駆動を行ってシャッターの閉じ動作を行う。その際、第１、第２の絞りシャッター羽根５，６は、上述した第１のストッパー機構と第２のストッパー機構とにより、第１のストッパー機構で規定される閉位置に停止される。
【００３３】
なお、羽根駆動レバー２は、開口１０に対する全開状態から全閉状態までを２相駆動において３パルスに相当する５４度の回転で駆動制御を行う。
【００３４】
また、ステッピングモータ６について、例えば、マイクロステップ駆動を行うことにより、任意の位置に停止させることも可能であり、絞り開口１４の面積を連続的に変化させることも可能にしている。
【００３５】
以上は、相反する方向に平行移動する一対の絞りシャッター羽根を用いた光量調節装置について説明したが、前記の実施例において説明した絞りシャッター羽根５のみで開口部を全閉できるように構成すれば、一枚の羽根でシャッター機構を構成することもできる。
【００３６】
この場合は、一枚の羽根で開口部の開閉を行うため絞りとしては機能せず、シャッターとしての機能となる。構成は図１及び図２において、第２の絞りシャッター羽根６を無くし、第１の絞りシャッター羽根５を全開時において第１の絞りシャッター羽根５が地板1の開口１０に対して遮光しないようにし、全閉時に開口１０を全て覆うような形状とする。その他の駆動部等の構成は前述の第１実施形態と同様である。
【００３７】
次に、これらのストッパー機構の動作を説明する。
【００３８】
第１の絞りシャッター羽根５が羽根駆動レバー２により全閉方向に移動し、前記第２のストッパー機構を構成する第１の絞りシャッター羽根５のストッパー部３２が第２の駆動ピン４と当接して停止する。また、略同時に前記第１のストッパー機構を構成するストッパー部１６，１７，２０，２１もガイド軸８，９に当接する。このとき第１の絞りシャッター羽根５には、全開方向へのバウンド力が発生する。
【００３９】
一方、羽根駆動レバー２は高速で閉じ方向に回動しているため、第１の絞りシャッター羽根５が前記第１及び第２のストッパー機構により閉じ方向への移動が停止された後も、さらに第１の絞りシャッター羽根５を全閉させる方向に回動しようとする。すなわち、第１、第２の絞りシャッター羽根５，６の重量は非常に軽いのに対し、ステッピングモータ１１の回転トルクが大きく、しかも羽根駆動レバー２の重量も第１、第２の絞りシャッター羽根５、６の重量に比べてはるかに大きい。したがって、第１、第２の絞りシャッター羽根５，６を全閉方向へ移動させる駆動力に比べて、第１の絞りシャッター羽根５がバウンドして反対の開方向に移動する力（慣性力）が小さいことから、第１の絞りシャッター羽根５が第２の駆動ピン４との衝突で反対方向へバウンドする力が押さえ込まれ、結果として第１の絞りシャッター羽根５は閉じ位置に停止する。
【００４０】
ここで、第１の駆動ピン３側で第１の絞りシャッター羽根５を地板１のストッパー部に衝突させて停止させようとする場合には、大きな力で地板１のストッパー部に衝突することから、第１の絞りシャッター羽根５は大きくバウンドすることになる。すなわち、第１の絞りシャッター羽根５には、第１の駆動ピン３を介した閉じ方向の力のみが加わるため、地板１との衝突後は、その力が反対方向のバウンド力として第１の絞りシャッター羽根５に加わることになる。
【００４１】
これに対し、本実施形態では、第１の絞りシャッター羽根５には、第１の駆動ピン３との係合により閉じ方向に大きな力が加わっており、ストッパー部３２が第２の駆動ピン４に衝突した時にも第１の駆動ピン３を介して第１の絞りシャッター羽根５に閉じ方向の力が作用している。したがって、ストッパー部３２が第２の駆動ピン４との衝突で発生するバウンド力は、第１の絞りシャッター羽根５に作用している閉じ方向の力とは反対向きであるために打ち消され、第１の絞りシャッター羽根５はバウンドすることなく全閉位置に保持されることになる。なお、第１の駆動ピン３と第２の駆動ピン４に働く力のバランスに対して、第１の絞りシャッター羽根５が停止するときのバウンド力が相対的に小さいので、バウンド力が打ち消される。
【００４２】
また、二つのストッパー機構が作動するタイミングを略同一とすることにより、バウンドを打ち消すタイミングを一致させることができるので、より効果的にバウンドを防止でき、さらに同時に羽根の停止位置も安定させることができる。
【００４３】
特に、全閉位置において、第２の駆動ピン４とガイド軸８，９が第１、第２の絞りシャッター羽根５，６のスライド方向に沿って一列に並ぶため、第１の絞りシャッター羽根５が第２の駆動ピン４との衝突時に受けるバウンド力によって、第１の絞りシャッター羽根５にガイド軸８，９を支点とするモーメント（パッシブモーメントと称す）が発生しないので、衝突時の衝撃で第１の絞りシャッター羽根５に横ブレが発生するのを防止できる。なお、上記パッシブモーメントは、前記アクティブモーメントにより打ち消されるため、第２の駆動ピン４とガイド軸８，９とが第１，第２の絞りシャッター羽根５，６のスライド方向に沿って一列に並ばなくても良い。
【００４４】
また、本実施形態では、羽根駆動レバー２を駆動するステッピングモータ１１を、第１の絞りシャッター羽根５のストッパー部３２が第２の駆動ピン４と当接した後も、さらに開口１０を閉鎖する方向に回動力を有するようにすることにより、羽根駆動レバー２に対して閉じ方向への駆動力が付与され、より一層第１の絞りシャッター羽根５のバウンドを防止する効果を高めることができる。
【００４５】
具体的には、駆動源のモータをステッピングモータで構成し、例えば前記第２のストッパー機構が作動（ストッパー部３２が第２の駆動ピン４に当接）後もさらに1ステップもしくは数ステップ送るようにする。あるいは通常のＤＣモータにおいて、前記第２のストッパー機構が作動（ストッパー部３２が第２の駆動ピン４に当接）後も微小時間モータに通電するようにしても良い。また、バネなどの弾性部材で加圧しても良い。
【００４６】
さらに、前記第１のストッパー機構を構成する部分と、前記第２のストッパー機構を構成する部分を、地板１に設けた開口１０の中心を通る絞りシャッター羽根のスライド方向に沿った中心線で見て、左右いずれかの片側に設けることにより、それぞれのストッパーへの当接により起こる羽根のたわみを少なくすることができる。これにより、より効果的に羽根のバウンドを減少させることが可能となる。
【００４７】
また、前述のような効果は、本実施形態のように、絞りシャッター羽根が二本のガイド軸によってガイドされて、直線的に開閉動作する場合は特に有効である。
【００４８】
さらに、一本のガイド軸を中心に旋回運動するタイプの絞りシャッター羽根の場合は、バウンド力はそのまま羽根の旋回力となるが、二本の駆動ピンの場合、羽根が駆動ピンに当接している部分が受けるバウンド力の方向が異なるため、打ち消しあう力が働き、よりバウンドを小さく抑えることができる。
【００４９】
上記した実施形態において、第２のストッパー機構は、羽根駆動レバー２の片側に設けた第２の駆動ピン４に第１の絞りシャッター羽根５に設けたストッパー部３２を衝突させているが、ストッパー部３２を羽根駆動レバー２の片側に専用のストッパー突起部を設け、このストッパー突起部にストッパー部３２を衝突させるようにしても良い。
【００５０】
また、本実施形態の第２のストッパー機構は、羽根駆動レバー２の片側に設けた第２の駆動ピン４をストッパーとして用いることにより、第１の絞りシャッター羽根５のストッパー部３２と第２の駆動ピン４とを正面衝突する構成としているが、第２の駆動ピン４を使用せずに、第１の絞りシャッター羽根５を地板１又は羽根カバー７に設けたストッパー部に当接させるように第２のストッパー機構を構成してもよい。要するに、全閉位置において、第１の絞りシャッター羽根５に羽根駆動レバー２により閉じ方向に向けた力が加わっている状態で、第１の絞りシャッター羽根５をストッパー部に当接させれば良く、このストッパー部が第１の絞りシャッター羽根５と互いに向かい合う方向に移動する必要はない。
【００５１】
本実施形態では、羽根駆動レバー２に設けた第１の駆動ピン３により第１の絞りシャッター羽根５をスライド駆動すると共に、羽根駆動レバー２に設けた第２の駆動ピン４と第１の絞りシャッター羽根５とを衝突させるようにしているので、第２の駆動ピン４と第１の絞りシャッター羽根５とが衝突する当接位置を高精度に位置決めすることができる。
【００５２】
第２の実施形態
図３は本発明の第２の実施形態を示す。
【００５３】
図３は、図２（ｂ）の“Ａ”部分に対応した拡大図で、上記した図１及び図２に示した部材と同じ部材には同じ符号を付してその説明を省略する。
【００５４】
上記した第１の実施形態では、第１の絞りシャッター羽根５のストッパー部３２が第２の駆動ピン４と当接する当接部を一直線状としているが、本実施形態では、第１の絞りシャッター羽根５のストッパー部３２が第２の駆動ピン４と当接する当接部３３を凹部とし、例えば図３（ａ）に示すように当接部３３をＶ字形状、あるいは図３（ｂ）に示すように曲面のＲ形状とし、当接時の接触面積を拡大し衝撃力を分散させるようにしている。
【００５５】
これにより、さらに第１絞りシャッター羽根５のバウンド力を低減させることができる。
【００５６】
また、絞りシャッター羽根を1枚で構成した場合は、上記した第１実施形態における第２絞りシャッター羽根６を取り除いた動作と基本的には同様であり、遮光部材である絞りシャッター羽根のバウンドを押さえる効果も同様に働く。
【００５７】
以上、本発明を実施形態に基づいて説明したが、本発明は上記した各実施形態に限定されるものではなく、種々の制御が可能である。例えば、上記した各実施形態では駆動源にステッピングモータを使用し、ステッピングモータの駆動方式を１―２相励磁や２相励磁駆動を用いたが、マイクロステップ駆動等の駆動方式であってもよい。さらには通常のＤＣモータを用い、位置検出センサなどと組み合わせて絞り制御を行うようにしても良い。
【００５８】
また、上記した各実施形態のストッパー部位置を単独で実施しても効果があるが、近年手ぶれ防止などの目的でますますシャッター速度の高速化が要求されてきていることから、これらの対策を複合的に実施すると、より確実に目的を達成することができる。
【図面の簡単な説明】
【００５９】
【図１】本発明の第１の実施形態を示す光量調節装置の分解斜視図。
【図２】図１に示す光量調節装置の羽根カバーを取り外した状態の上面図を示し、（ａ）は全開状態、（ｂ）は全閉状態を示す。
【図３】本発明の第２の実施形態を示す要部拡大上面図で、（ａ）は当接部をＶ字形状とし、（ｂ）は当接部をＲ形状とした例を示す。
【符号の説明】
【００６０】
１…地板
２…羽根駆動レバー
３…第１の駆動ピン
４…第２の駆動ピン
５…第１の絞りシャッター羽根
６…第２の絞りシャッター羽根
７…羽根カバー
８，９…ガイド軸
１０…開口
１１…ステッピングモータ
１２，１３，１８，１９…長孔
１６，１７，２０，２１…ストッパー部
２２，２３…絞り開口部
２４…絞り開口
２５…回動軸
２６…固定ネジ
２７…羽根カバー固定ネジ
２８，３１…長孔
２９，３０…切欠部
３２…ストッパー部
３３…当接部
【図１】
2009217190.tif 000003
【図２】
2009217190.tif 000004
【図３】
2009217190.tif 000005